(57)【要約】【課題】ハウジングの挿着部に施錠ユニットを利用し、コンピュータの接続ポートを施錠して接続ポートに外部記憶装置が接続できないようにし、コンピュータ内部のデータが盗まれることを防ぐコンピュータ接続ポートの錠を提供する。【解決手段】コンピュータ接続ポートの錠は、ハウジング、施錠ユニット２および少なくとも１つの押しボタン３を備える。ハウジングの一方の端部には、互いに対応した２つの貫通孔１３１を有する挿着部１３が設けられ、挿着部１３の中に固定ベース１４が設けられ、ハウジングの少なくとも１つの側面上に多数の中空部１５が設けられ、ハウジングの他方の端部には、その内部に支持板１６が配置されている。施錠ユニット２は、ハウジング中に配置されている。少なくとも１つの押しボタン３は、ハウジングの少なくとも１つの側面に可動可能に設けられ、押し部材２２の側面と干渉する。【選択図】図１
0003146913.tif 000002
【実用新案登録請求の範囲】
【請求項１】
ハウジング、施錠ユニットおよび少なくとも１つの押しボタンを備えたコンピュータ接続ポートの錠であって、
前記ハウジングの一方の端部には、互いに対応した２つの貫通孔を有する挿着部が設けられ、前記挿着部の中に固定ベースが設けられ、前記ハウジングの少なくとも１つの側面上に多数の中空部が設けられ、前記ハウジングの他方の端部には、その内部に支持板が配置され、
前記施錠ユニットは、前記ハウジング中に配置され、前記支持板と可動可能に結合され、多数の凸部を外側に有する軸体と、前記軸体の端部に設けられ、嵌着部を端面に有する押し部材と、前記嵌着部と可動可能に結合された施錠部と、前記押し部材と前記固定ベースとの間に設けられた弾性部材と、前記軸体に外嵌された多数の回転ホイールとを含み、前記施錠部の一方の端部には前記ハウジング中に位置が拘束された横板が設けられ、前記施錠部の他方の端部には、各前記貫通孔中にそれぞれ対応するように延伸した鉤板が設けられ、各前記回転ホイールの外側縁には、中空部に対応した位置に多数の数字領域がそれぞれ環設され、各前記回転ホイールの内側縁には、各前記凸部に対応した位置に切欠き部がそれぞれ設けられ、
前記少なくとも１つの押しボタンは、前記ハウジングの少なくとも１つの側面に可動可能に設けられ、前記押し部材の側面と干渉することを特徴とするコンピュータ接続ポートの錠。
【請求項２】
前記ハウジングは、上蓋および下蓋を含むことを特徴とする請求項１に記載のコンピュータ接続ポートの錠。
【請求項３】
前記挿着部はＵＳＢコネクタであることを特徴とする請求項１に記載のコンピュータ接続ポートの錠。
【請求項４】
前記押し部材の少なくとも１つの側面には、前記押しボタンと干渉する斜面部が設けられていることを特徴とする請求項１に記載のコンピュータ接続ポートの錠。
【請求項５】
前記押しボタンの一方の端部には、前記ハウジングの外側に露出された押圧部が設けられ、
前記押しボタンの他方の端部には、前記押し部材の側面に形成された斜面部と干渉する圧接部が設けられていることを特徴とする請求項１に記載のコンピュータ接続ポートの錠。
【考案の詳細な説明】
【技術分野】
【０００１】
本考案は、コンピュータの接続ポートの錠に関し、特に、コンピュータの接続ポートを施錠して接続ポートに外部記憶装置が接続できないようにし、コンピュータ内部のデータが盗まれることを防止するコンピュータの接続ポートの錠に関する。
【背景技術】
【０００２】
情報技術の発展は非常に早く、コンピュータはすでに日常生活において欠かせない電子製品の一つとなっている。例えば、文書を処理したり、画像ファイル、音声ファイル、マルチメディアファイルやその他重要な電子ファイルの保存には、コンピュータが使用されるようになってきている。一般に、コンピュータは、ハードディスクドライブ、光ディスクドライブ、フロッピー(登録商標)ディスクドライブなどの装置を利用してデータの読取り／保存を行う以外に、携帯型記憶装置（例えば、携帯型ハードディスクドライブ、ＵＳＢフラッシュメモリなど）を使用してデータを持ち出し、外出先で利用することもできる。
【０００３】
一般の携帯型記憶装置の伝送インターフェイスは、通常、ＵＳＢインターフェイスのプラグであり、使用する際はコンピュータ本体のＵＳＢ接続器に直接差し込んで接続するだけで、データ伝送を直ちに行うことができる。このように携帯型記憶装置は、差し込むだけで直ちに使用することができるＵＳＢインターフェイスを利用しているため、使用上の利便性に優れていた。しかし、このように差し込むだけで直ちに使用できる特性が悪用され、携帯型記憶装置によりコンピュータ内部のデータがコピーされ、個人情報などが流出してしまう虞があった。
【考案の開示】
【考案が解決しようとする課題】
【０００４】
本考案は、上記に鑑みてなされたものであって、ハウジングの挿着部に施錠ユニットを利用し、コンピュータの接続ポートを施錠して接続ポートに外部記憶装置が接続できないようにし、コンピュータ内部のデータが盗まれることを防ぐコンピュータ接続ポートの錠を提供することを目的とする。
【課題を解決するための手段】
【０００５】
上記課題を解決するために、本考案に係るコンピュータ接続ポートの錠は、ハウジング、施錠ユニットおよび少なくとも１つの押しボタンを備えたコンピュータ接続ポートの錠であって、前記ハウジングの一方の端部には、互いに対応した２つの貫通孔を有する挿着部が設けられ、前記挿着部の中に固定ベースが設けられ、前記ハウジングの少なくとも１つの側面上に多数の中空部が設けられ、前記ハウジングの他方の端部には、その内部に支持板が配置され、前記施錠ユニットは、前記ハウジング中に配置され、前記支持板と可動可能に結合され、多数の凸部を外側に有する軸体と、前記軸体の端部に設けられ、嵌着部を端面に有する押し部材と、前記嵌着部と可動可能に結合された施錠部と、前記押し部材と前記固定ベースとの間に設けられた弾性部材と、前記軸体に外嵌された多数の回転ホイールとを含み、前記施錠部の一方の端部には前記ハウジング中に位置が拘束された横板が設けられ、前記施錠部の他方の端部には、各前記貫通孔中にそれぞれ対応するように延伸した鉤板が設けられ、各前記回転ホイールの外側縁には、中空部に対応した位置に多数の数字領域がそれぞれ環設され、各前記回転ホイールの内側縁には、各前記凸部に対応した位置に切欠き部がそれぞれ設けられ、前記少なくとも１つの押しボタンは、前記ハウジングの少なくとも１つの側面に可動可能に設けられ、前記押し部材の側面と干渉することを特徴とする。
【０００６】
さらに、本考案に係るコンピュータ接続ポートの錠は、前記ハウジングは、上蓋および下蓋を含むことを特徴とする。
【０００７】
さらに、本考案に係るコンピュータ接続ポートの錠は、前記挿着部はＵＳＢコネクタであることを特徴とする。
【０００８】
さらに、本考案に係るコンピュータ接続ポートの錠は、前記押し部材の少なくとも１つの側面には、前記押しボタンと干渉する斜面部が設けられていることを特徴とする。
【０００９】
さらに、本考案に係るコンピュータ接続ポートの錠は、前記押しボタンの一方の端部には、前記ハウジングの外側に露出された押圧部が設けられ、前記押しボタンの他方の端部には、前記押し部材の側面に形成された斜面部と干渉する圧接部が設けられていることを特徴とする。
【考案の効果】
【００１０】
以上のように、本考案に係るコンピュータ接続ポートの錠は、ハウジングの挿着部に施錠ユニットを利用し、コンピュータの接続ポートを施錠して接続ポートに外部記憶装置が接続できないようにし、コンピュータ内部のデータが盗まれることを防ぐことができる。
【考案を実施するための最良の形態】
【００１１】
本考案を実施するための形態を図１〜図４を用いて説明する。
【００１２】
図１〜図４を参照する。図１〜図４に示すように、本考案の一実施形態にかかるコンピュータ接続ポートの錠は、ハウジング１、施錠ユニット２および少なくとも１つの押しボタン３を含む。
【００１３】
ハウジング１は、上蓋１１および下蓋１２を含む。ハウジング１の一方の端部には、互いに対応した２つの貫通孔１３１が穿設された挿着部１３が設けられている。この挿着部１３は、ＵＳＢコネクタでもよい。ハウジング１の一方の端部に設けられた挿着部１３中には固定ベース１４が設けられ、ハウジング１の少なくとも１つの側面上には多数の中空部１５が設けられ、ハウジング１の他方の端部の内部には支持板１６が設けられている。
【００１４】
施錠ユニット２は、ハウジング１中に設けられ、支持板１６と可動可能に結合され、多数の凸部２１１を外側に有する軸体２１と、軸体２１の一方の端部に設けられ、その端面に嵌着部２２１を有する押し部材２２と、嵌着部２２１と可動可能に結合された施錠部２３と、押し部材２２と固定ベース１４との間に設けられた弾性部材２４と、軸体２１に外嵌された多数の回転ホイール２５と、を含む。押し部材２２の少なくとも１つの側面には斜面部２２２が設けられている。施錠部２３の一方の端部には、ハウジング１中に位置が拘束された横板２３１が設けられ、施錠部２３の他方の端部には、各貫通孔１３１中にそれぞれ対応するように延伸した鉤板２３２が設けられている。各回転ホイール２５の外側縁には、中空部１５にそれぞれ対応した位置に多数の数字領域２５１が環設され、各回転ホイール２５の内側縁には、各凸部２１１に対応した位置に切欠き部２５２がそれぞれ設けられている。
【００１５】
押しボタン３は、ハウジング１の少なくとも１つの側面に可動可能に設けられ、押しボタン３の一方の端部には、ハウジング１の外側に露出される押圧部３１が設けられ、押しボタン３の他方の端部には、押し部材２２の側面に形成された斜面部２２２と干渉する圧接部３２が設けられている。
【００１６】
図５から図７を参照する。図５〜図７に示すように、本考案の一実施形態にかかるコンピュータ接続ポートの錠を使用するときは、ハウジング１の一方の端部の挿着部１３をコンピュータ４本体のＵＳＢ接続ポート４１中に直接対応するように挿入し、施錠ユニット２に設けられた施錠部２３の鉤板２３２をＵＳＢ接続ポート４１に挿入すると、ＵＳＢ接続ポート４１の内壁面により下向きに圧され、各鉤板２３２をそれぞれＵＳＢ接続ポート４１の内側ポートの接続孔４１１に対応させ、貫通孔１３１を介して各鉤板２３２を接続孔４１１中に係合させる。このとき各回転ホイール２５の内側縁の切欠き部２５２と、軸体２１上の各凸部２１１との位置がずれた状態となるため、押しボタン３の圧接部３２は、押し部材２２上に力を加えることができなくなる。このように、ハウジング１の挿着部１３は、施錠ユニット２の施錠部２３を利用し、コンピュータ４のＵＳＢ接続ポート４１を施錠することにより、ＵＳＢ接続ポート４１に外部記憶装置が接続されてコンピュータ４の内部データが盗まれることを防ぐ。
【００１７】
コンピュータ４のユーザがＵＳＢ接続ポート４１を使用するときは、ハウジング１の中空部１５を介して施錠ユニット２の各回転ホイール２５を回し、各回転ホイール２５の外側縁に環設された数字領域２５１の所定の数字を中空部１５の位置に合わせる。このように、各回転ホイール２５に設けられた数字領域２５１の予め設定した数字を切欠き部２５２に対応させる。各回転ホイール２５の数字領域２５１上の所定の数字を中空部１５の位置に合わせると、各回転ホイール２５内側の切欠き部２５２がそれぞれ軸体２１上の各凸部２１１に対応して連通状態となる。このとき、押しボタン３の一方の端部を押圧してハウジング１の外側の押圧部３１を露出させ、圧接部３２を斜面部２２２に合わせて押し部材２２を押すと、押し部材２２が固定ベース１４の方向に移動され、弾性部材２４が圧縮される。これにより、嵌着部２２１が施錠部２３の各鉤板２３２を下向きに圧して、挿着部１３の各貫通孔１３１から各鉤板２３２を外すと、各鉤板２３２がＵＳＢ接続ポート４１の接続孔４１１中に係合されない状態となる。このように、ＵＳＢ接続ポート４１からハウジング１の一方の端部の挿着部１３を外すと、ＵＳＢ接続ポート４１を使用することができるようになる。
【００１８】
上述したことから分かるように、本考案のコンピュータ接続ポートの錠は、ハウジングの挿着部に施錠ユニットを利用し、コンピュータの接続ポートを施錠し、接続ポートに外部記憶装置が接続できないようにするため、コンピュータ内部のデータが盗まれることを防ぐことができる。そのため、従来技術の欠点を改善することができる。
【００１９】
なお、本考案は、上記実施の形態に限定されるものではなく、請求項に示した範囲で種々の変更が可能である。すなわち、請求項に示した範囲で適宜変更した技術的手段を組み合わせて得られる実施の形態についても本考案の技術的範囲に含まれる。
【図面の簡単な説明】
【００２０】
【図１】本考案の実施形態を示すものであり、コンピュータ接続ポートの錠を示す分解斜視図である。
【図２】本考案の実施形態を示すものであり、コンピュータ接続ポートの錠を示す分解斜視図である。
【図３】本考案の実施形態を示すものであり、コンピュータ接続ポートの錠を示す斜視図である。
【図４】図３の線Ａ−Ａに沿った断面図である。
【図５】本考案の実施形態を示すものであり、コンピュータ接続ポートの錠を使用するときの状態を示す斜視図である。
【図６】本考案の実施形態を示すものであり、コンピュータ接続ポートの錠を施錠したときの状態を示す断面図である。
【図７】本考案の実施形態を示すものであり、コンピュータ接続ポートの錠を開錠したときの状態を示す断面図である。
【符号の説明】
【００２１】
１      ハウジング
１１    上蓋
１２    下蓋
１３    挿着部
１３１  貫通孔
１４    固定ベース
１５    中空部
１６    支持板
２      施錠ユニット
２１    軸体
２１１  凸部
２２    押し部材
２２１  嵌着部
２２２  斜面部
２３    施錠部
２３１  横板
２３２  鉤板
２４    弾性部材
２５    回転ホイール
２５１  数字領域
２５２  切欠き部
３      押しボタン
３１    押圧部
３２    圧接部
４      コンピュータ
４１    ＵＳＢ接続ポート
４１１  接続孔
【図１】
0003146913.tif 000003
【図２】
0003146913.tif 000004
【図３】
0003146913.tif 000005
【図４】
0003146913.tif 000006
【図５】
0003146913.tif 000007
【図６】
0003146913.tif 000008
【図７】
0003146913.tif 000009